(57)【要約】      （修正有）【課題】飲食店他工場から出る、油分等を含んだ雑排水の油と水との比重差分離を行う、簡単な構造のグリストラップの提供。【解決手段】浄化槽本体には、槽底から鉛直方向上方に延びる第一隔壁ＬＢと、第一隔壁の下流側に位置し、槽の上方の水平可動式蓋Ｇから鉛直方向下方に延びる第二隔壁ＵＢとを設け、第一隔壁と第二隔壁とは鉛直方向で重なり部分を有し、第一槽目４から第二槽目４’’へ雑排水Ａが移動する際の雑排水通過用の間隙は、第一隔壁と第二隔壁との鉛直方向の重なり部分で、第一隔壁と第二隔壁との水平方向距離に相当し、第二隔壁には三角柱１を溶接し、第一隔壁の鉛直方向上端と第二隔壁とで形成された間隙の上部に覆い被さるように、三角柱斜めの辺１’’を溶接部分から斜め上方に延びるように形成することで、油Ｏは浮き上がるのみで沈むことはない効果を有する、グリストラップ油流入防止装置の第二隔壁。【選択図】図１
2019209313.tif 000002
【特許請求の範囲】
【請求項１】
本発明は所定の寸法・形状を有した三角柱の一面と第二隔壁面水平方向に所定の位置に溶接を施した形状を特徴としたグリストラップ油流入防止装置の第二隔壁。
【請求項２】
本発明は所定の寸法・形状を有した鉄板の両サイドに空間を設け、その鉄板を第一隔壁上部から第二隔壁の所定の位置へ所定の角度へ渡し、第一隔壁と第二隔壁を溶接で連結する事を特徴とした油流入防止グリストラップ。
【請求項３】
本発明は所定の寸法。形状を形成した第一隔壁と第二隔壁の一体化した構成の形状は第一隔壁をグリストラップ内の底面と側面へ全面溶接を施し，上部を任意の位置で間隙を開け、第二隔壁はリストラップ内上部と側面を所定の位置へ全面溶接を施し、その底面の下部は次槽へ水等が入るように所定の位置に隙間を開ける。その第一隔壁上部から第二隔壁は所定の間隙を形成し、また両サイドに水等が次槽へ通る所定の空間を設けた板の端部を第一隔壁上部に溶接、もう一方の板の端部を第二隔壁に全面溶接し固定する。しかる後時第二隔壁面の第一層目内側面方向へ三角柱の形状をした断面の一番短い面を第二隔壁へ全面溶接し、三角形の一番短い辺はほぼ垂直となる、形状として三角柱断面は直角三角形が望ましく、その辺の一番長い面と第一隔壁上部には所定の間隙開けグリストラップの上部方向斜めに形成する、また、二番目に長い辺は上面が水平となるように形成し、一番短い辺の面は第二隔壁に全面溶接し固定すると一番長い辺は第二隔壁より斜め上方向を形成する、その時、第一隔壁より三角形断面の頂点は必ず雑排水流入口側へ所定の寸法で飛び出していることを特徴とした油分と水と生ごみの分別グリストラップ。
【請求項４】
請求項３に記した第一層目、第二層目を形成した隔壁をグリストラップ内に順次複数槽を構成することを特徴とした油分と水と生ごみの分別グリストラップ。
【請求項５】
本発明の三角柱断面の形状は二等辺三角形、直角２等辺三角形、正三角形であっても、また、板状を斜め上に設置しても請求項１と同様の効果得られることを特徴とした油分と水と生ごみの分別グリストラップ。
【発明の詳細な説明】
【技術分野】
【０００１】本発明は飲食店他工場に設置されているグリストラップに関する。
【背景技術】
【０００２】本発明は飲食店他工場からから出る雑排水の処理に関しての提案であり、油の比重は水より軽く水面に浮き、他の雑排物は水より重いので沈殿する点に着目し、簡単な構造のグリストラップを提供する。【０００３】家庭用浄化槽の一次処理において、スカムおよび悪臭の発生、および処理槽内における流入有機物の堆積を抑制するとともに、有機物分解速度および有機物除去率を高める。家庭用浄化槽に流入した有機性排水の一次処理方法であって、前記家庭用浄化槽内部に設けられた浸漬型透明円筒を介して、前記家庭用浄化槽内部に光を照射し、常時通性嫌気条件下で前記有機性排水の処理を行なう工程と、前記浸漬型透明円筒を介して、前記家庭用浄化槽、前記家庭用浄化槽内部に光を照射しつつ、前記家庭用浄化槽通性嫌気性主体の微生物資材を投入する工程と、前記浸漬型透明円筒を介して、前記家庭用浄化槽内部に光を照射しつつ、処理環境に変動を与えないよう生成汚泥を移流させずに、前記家庭用浄化槽内の通性嫌気性環境を維持する工程と、を含む。と示されている。
【先行技術分野】
【０００４】
【特許文献】特願平８−２９２２４２
【発明の概要】
【発明が解決しようとする課題】
【０００５】本発明は前記の問題には油分の処理に関しての記述はなく、その問題を含め解決手段を提案するものである。【０００６】本発明は飲食店から出る雑排水は水、油分、雑廃物を分別処理するためのものであり、本発明の浄化槽の構成は複数の隔壁を上下の任意の位置に形成し、その形状は第一層目から最終層まで順次記載していく。
の形状は第一層目から最終層まで順次記載していく。【０００６】油分等を含んだ雑排水が配管、及び溝を通りグリストラップの第一層目に流入するとき、固形物（野菜くず等）キャッチするためグリストラップ入口に所定の形状の網籠を設置する。本発明のグリストラップ隔壁に関して記述する、所定の寸法形状を有した第一隔壁をグリストラップの底面と側面へ全面溶接を施し，上部を所定の寸法で隙間を開け、その時の設置方法は第一隔壁の上部は排水溝出口の喫水線より必ず下に形成する、第二隔壁はグリストラップ内の所定の位置の上部と側面に全面溶接を施し、その底面の下部は次槽へ水等が流入するように隙間を開ける。その第一隔壁と第二隔壁は所定の間隙を形成し、その間隙の両サイドに所定の空間を設けた板の端部を第一隔壁上部に溶接施し、もう一方の板の端部を第二隔壁の中間部へ所定の位置に全面溶接し固定する。しかる後第二隔壁面へ三角柱の形状をした一番短い面を第二隔壁に全面溶接を施す。その形状は三角形の第一隔壁上部に所定の隙間を形成する。理想の形状として三角柱断面は直角三角形が望ましく、その辺の二番目に長い面は水平になるように形成すると自ずと第一番目に長い辺は第二隔壁から水面部に向かって斜めに形成される。その時、第一隔壁より三角形断面の頂点は必ず雑排水流入口側より所定の位置で飛び出していることを特徴とした油分と水と生ごみの分別グリストラップに関する。【０００７】本発明は三角柱断面の形状は二等辺三角形、直角２等辺三角形、正三角形、また板をＶ型であっても、板を斜め上方向に設置しても良い。【０００８】前記の本発明の第二層目からは同じ形状で形成する。【０００９】水と油と雑屑が混じった雑排水は一度底面部に沈み油分は水と分離し必ず水面へ上昇するとき三角柱断面の一番長い辺が斜め上部に向かっているためその油分も三角柱断面の一番長い辺を伝い水面へ上昇する。【００１０】大量の雑排水か流入した時第一隔壁の上部と三角注に間隙あるが三角柱に第一壁が覆い被さっているので直接第一隔壁と第二隔壁の隙間に入ることは無い、その形状は多角形でも同じような効果を得ることはできる。【００１１】雑排水の中のゴミなどは第一層目に設置してある網籠でキャッチし砂など細かい粒子は底面に沈みその処理は容易く人件費の削減のコストダウンにつながる。
【発明の効果】
【００１２】グリストラップ水面にオイル吸着綿を設置しておけば油分が飽和状態なると次槽に流入するが次槽にもオイル吸着綿を設置し油分の吸着が確認できれば第一層の油分が飽和状態であることがわかり、オイル吸着綿の交換目安となり、余分な油分が直接公共下水へ流れ込むことがなく、布いては河川、湖沼、海洋汚染を防止することに寄与できる。
【図面の簡単な説明】
【００１３】
【図１】本発明の油分と生ごみの分別浄化槽の断面図
【図２】本発明の油分と生ごみの分別浄化槽の平面図
【発明を実施するための形態】
【００１４】図１に示すよう浄化槽本体（ＧＳ）内部の断面図であり、飲食店等からグリストラップ内へ雑排水（Ａ）が配管内を通り浄化槽の第一層目（４）へ流入するとき、生ごみ（５）は流入口に設置してある網籠で除去をし、水と油が第一層目に水中底部に向かい油分（Ｏ）を含んだ水（Ｗ）から比重の軽い油分（Ｏ）だけ水面（Ｄ）へと浮き上がり予め水面（Ｄ）に設置したオイル吸着綿（ＯＣ）に油分（Ｏ）だけが吸着される、また雑排水（Ａ）が勢いよく第一層目へ流入しても、隔壁（ＵＢ）が形成されている本発明の三角柱（１）が隔壁（ＢＵ）と隔壁（ＬＢ）の間隙（Ｓ）から雑排水（Ａ）が直接流入することはなく、三角柱（１）の一番長い辺（１”）が斜めに形成されていることから水より比重が軽い油分（Ｏ）は浮き上がることがあっても沈むことは無い装置であり次槽（４”）に雑排水の流入物は浮遊していた生ごみ等が水分（Ｗ）を吸収して次槽（４”）の沈殿物は最小限に抑えられる。またオイル吸着綿（ＯＣ）にオイルの吸着が飽和した時に上部に形成するグレーチング及び蓋（Ｇ）を開けてオイル吸着綿（ＯＣ）を交換すればよい。
【００１５】図２示すのは本発明の平面図であり、ここで説明することは両サイドに空間（３）を設けた、板の端部を第一隔壁（ＬＢ）上部に溶接し、その板を第二隔壁（ＵＢ）に全面溶接し固定したものであり、三角柱（１）は第一隔壁（ＬＢ）上部に間隙（３）を開けた第一隔壁（ＬＢ）と第二隔壁（ＵＢ）示したものである。
【００１６】本発明のグリストラップ（ＧＴ）の管理面から第一層（４）から次槽（４“）から次々槽へと何槽でも増設することも可能である。
【００１７】製造現場からグリストラップまでの排水経路が長いとき食用油は冷えると固形化する可能性があり、固形化したも油は吸着綿の持っている能力１００％発揮するのは困難であり、その対策としてグリストラップ直前またはグリストラップ内で蒸気及びヒーターを用いて固形化した油を液状にすることで吸着綿の能力が１００％発揮できることも考慮しなければならない
【００１８】本発明のグリストラップ（ＧＴ）の実験結果は第一層目（４）では、ほぼ１００％オイル吸着綿で油分（Ｏ）を吸着しており次槽（４“）でのオイル吸着綿（ＯＣ）にはオイルの吸着は確認されなかった。
【００１９】また、本発明のグリストラップに流入する雑排水には油分は吸着綿が吸収するが、一緒に固形物他灰汁等も流入すると吸着綿では吸収することが無理であり、グリストラップ流入口に自動感知式汚物水中ポンプを設置し第一層目内に形成された仕切り板（６）内に設置した網袋（５）へ一旦、吐出させ固形物等を網袋でキャッチし、油分だけ第一層目（４）の油分吸着綿へ吸収する。このような構成を用いる事で油分と固形物、灰汁等が分離することが可能となり、清掃にかかる人員の削減が可能となる。
【００２０】実験条件
浄化槽の隔壁（ＢＬ）上部の喫水線まで水を張る。
ポリプロピレン樹脂を綿状にしたオイル吸着綿の各槽に３０グラム。
オイル１キログラム。
水５キログラム。
野菜など混載したもの１００グラム。
【符号の説明】
【００２１】１  ・  本発明の三角柱
１”・“本発明の三角柱斜めの辺
２  ・  板
３  ・  第一隔壁と第二隔壁の板と浄化槽側面との間隙
４  ・  第一槽目
４”・  第二槽目及び第三槽目
５  ・  網（固形物・灰汁等）
６  ・  網設置仕切板
Ａ  ・  処理をしていない雑排水
Ｂ  ・  処理し下水へ流入する水
Ｃ  ・  生ごみ等
Ｄ  ・  水面
Ｇ  ・  水平可動式蓋
Ｌ  ・  開閉用レール
Ｐ  ・  水中ポンプ
Ｏ  ・  水と分離した油分
Ｒ  ・  ベアリングローラー
ＧＴ・  グリストラップ
Ｗ  ・  雑排水水
ＢＬ・  隔壁
ＢＵ・  隔壁
ＯＣ・  オイル吸着綿
ＯＦ・  オーバーフロー雑排水
ＡＫ・  網引っかけ金具
【図１】
2019209313.tif 000003
【図２】
2019209313.tif 000004